(57)【要約】【課題】  本発明は、かかる状況に鑑み、個々の線分に複数の属性情報を付与し、線分とこれに付随する属性情報をデータとして管理することによって、製図における線分管理のうち特に線分の修正、変更および追加などの編集作業を簡単なものにし、ひいては製図作業における生産性向上に資する技術を提供しようとするものである。【解決手段】  本発明は、構造物の構築図面のための情報を蓄えるデータベースであって、前記構築図面を構成する線分を識別するための情報である線分識別情報と、前記線分識別情報で識別される線分の有する属性を示す情報である線分属性情報とを関連付けて蓄積する蓄積部を有するデータベースである。【選択図】  図１１
2005108136.tif 000002
【特許請求の範囲】
【請求項１】
構造物の構築図面のための情報を蓄えるデータベースであって、
前記構築図面を構成する線分を識別するための情報である線分識別情報と、
前記線分識別情報で識別される線分の有する属性を示す情報である線分属性情報とを関連付けて蓄積する蓄積部を有するデータベース。
【請求項２】
前記蓄積部は、
前記線分属性情報として、前記構築図面中で前記線分により表される物体が前記構造物中に存在する領域の種類を示す情報である領域種情報を保持するための領域種情報保持手段を有する請求項１に記載のデータベース。
【請求項３】
前記領域種情報保持手段に保持される前記領種域情報は、前記物体が、前記構造物の全断面領域にわたって存在することを示す完全断面、前記物体が、前記構造物の部分的断面領域にわたって存在することを示す部分断面、前記物体が、前記構造物の平面的領域にわたって存在することを示す単純平面の何れか一である請求項２に記載のデータベース。
【請求項４】
前記蓄積部は、
前記線分属性情報として、前記構築図面中で前記線分により構成される物体の部分が前記構造物中で人間の視線にさらされるか否かを示す情報である視線情報を保持するための視線情報保持手段を有する請求項１から３の何れか一に記載のデータベース。
【請求項５】
前記視線情報保持手段に保持される前記視線情報は、前記物体の部分が、構造部位であって人間の視線にさらされないか、意匠部位であって人間の視線にさらされるか、意匠構造部位であって構造部位でありながら人間の視線にさらされるか、を示す請求項４に記載のデータベース。
【請求項６】
前記蓄積部は、
前記線分属性情報として、前記線分が表されるべき図面を識別するための情報である図面識別情報を保持するための図面識別情報保持手段を有する請求項１から５のいずれか一に記載のデータベース。
【請求項７】
前記図面識別情報保持手段に保持される前記図面識別情報は、前記図面が設計図か、施工図か、意匠レイアウト図か、構造レイアウト図か、を示し、さらに平面図においては見上げの図面か見下げの図面かを示す請求項６に記載のデータベース。
【請求項８】
前記蓄積部は、
前記線分属性情報として、一の線分と他の線分との関連付けを示す情報である関連付情報を保持するための関連付情報保持手段を有する請求項１から７のいずれか一に記載のデータベース。
【請求項９】
前記蓄積部は、
前記線分属性情報として、図面中で一群のかたまりとして取り扱われる線分の関係を示す情報であるグルーピング情報を保持するためのグルーピング情報保持手段を有する請求項１から８のいずれか一に記載のデータベース。
【請求項１０】
前記蓄積部は、
前記線分属性情報として、一群のかたまりとして取り扱われる線分によって構成される物体が前記構造物中で果たす構造的機能を示す情報である構造的機能情報を保持するための構造的機能情報保持手段を有する請求項１から９のいずれか一に記載のデータベース。
【請求項１１】
前記線分属性情報を、前記図面中で線分を移動することにより変更するための移動依存変更部を有する請求項１から１０のいずれか一に記載のデータベース。
【発明の詳細な説明】
【技術分野】
【０００１】
本発明は、ＣＡＤを用いた製図の生産性向上を図るために、線分属性情報からなるデータベースを構築することによって、修正、追加を含む図面管理を容易にし、製図の生産性向上を図る技術に関する。
【背景技術】
【０００２】
ＣＡＤ（＝ＣＯＭＰＵＴＥＲ  ＡＩＤＥＤ  ＤＥＳＩＧＮ）は、コンピュータを用いた設計支援システムのことである。このＣＡＤは、すでに設計過程における必須のツールとして用いられている。
【０００３】
ところで、このＣＡＤを用いた設計は、それまで手書きで書かれていた図面をコンピューターに置き換えるものであり、特に、コンピュータに図面を入力し、この図面をファイルとして管理することにより、図面管理が飛躍的に容易になり、今や設計分野では、ほとんどがＣＡＤが用いられている。
【０００４】
しかしながら、現在のＣＡＤは、基本的には手書きの図面を単にコンピュータに入力するだけのものであり、コンピュータを用いた図面作成支援の可能性を十分に活かしたものではない。
【特許文献１】特許公開２００３−２３３６２７
【発明の開示】
【発明が解決しようとする課題】
【０００５】
本発明は、かかる状況に鑑み、個々の線分に複数の属性情報を付与し、線分とこれに付随する属性情報を線分識別情報と関連付けてデータとして管理することによって、製図における線分管理のうち特に線分の修正、変更および追加などの編集作業を簡単なものにし、ひいては製図作業における生産性向上に資する技術を提供しようとするものである。
【課題を解決するための手段】
【０００６】
本発明は、構造物の構築図面のための情報を蓄えるデータベースであって、前記構築図面を構成する線分を識別するための情報である線分識別情報と、前記線分識別情報で識別される線分の有する属性を示す情報である線分属性情報とを関連付けて蓄積する蓄積部を有し、前記蓄積部は、前記線分属性情報として、前記構築図面中で前記線分により表される物体が前記構造物中に存在する領域の種類を示す情報である領域種情報を保持するための領域種情報保持手段を有し、前記領域種情報保持手段に保持される前記領種域情報は、前記物体が、前記構造物の全断面領域にわたって存在することを示す完全断面、前記物体が、前記構造物の部分的断面領域にわたって存在することを示す部分断面、前記物体が、前記構造物の平面的領域にわたって存在することを示す単純平面の何れか若しくはこれらの組み合わせであり、さらに、前記蓄積部は、前記線分属性情報として、前記構築図面中で前記線分により構成される物体の部分が前記構造物中で人間の視線にさらされるか否かを示す情報である視線情報を保持するための視線情報保持手段を有し、前記視線情報保持手段に保持される前記視線情報は、前記物体の部分が、構造部位であって人間の視線にさらされないか、意匠部位であって人間の視線にさらされるか、その両者であるかを示し、前記蓄積部は、前記線分属性情報には、前記線分が表されるべき図面を識別するための情報である図面識別情報を保持するための図面識別情報保持手段を有し、前記図面識別情報保持手段に保持される前記図面識別情報は、前記図面が設計図か、施工図か、意匠レイアウト図か、構造レイアウト図か、を示し、さらに見上げの図面か見下げの図面かを示し、前記図面識別情報保持手段に保持される前記線分属性情報には、一の線分と他の線分との関連付けを示す情報である関連付情報を保持するための関連付情報保持手段を有し、前記蓄積部は、前記関連付情報として、図面中で常に一群のかたまりとして取り扱われる線分の関係を示す情報であるグルーピング情報を保持するためのグルーピング情報保持手段を有し、前記グルーピング情報保持手段に保持される前記関連付情報は、図面中で常に一群のかたまりとして取り扱われる線分の関係にあるか、そうでないかを示し、前記蓄積部は、前記グルーピング情報において、一群のかたまりとして取り扱われる線分によって構成される物体が前記構造物中で果たす構造的機能を示す情報である構造的機能情報を保持するための構造的機能情報保持手段を有し、前記線分属性情報を、前記図面中で線分を移動することにより変更するための移動依存変更部を有するデータベースである。
【発明の効果】
【０００７】
本発明の請求項１から１１に記載のデータベースによれば、以下の効果を奏する。
【０００８】
（１）従来のＣＡＤと異なり、図面単位での管理ではなく、線分を、線分単位あるいは要素単位で管理することになるために、任意の要素や複数の関連する線分を取り出して新たに図面を作成することが容易となる。
【０００９】
（２）線分ごとにデータ管理を行うために、原図の修正を行うと、その修正はすべての図面に反映させることができる、
【００１０】
（３）修正があっても、部品要素を何回も書き直す必要がない。
【００１１】
（４）線分単位でのデータ管理を行うために、図面の縮尺は自由に設定できるとともに、この図面を関連付保存手段を用いて保管すれば、どんな縮尺の図面も作成し、また保管することができる。
【００１２】
（５）平面図、立面図および断面図を一枚の図面に集合させた原図をつくり、この原図と呼ばれる図面から線分情報を入力することによって、図面管理および線分管理が容易になる。
【００１３】
（６）線分間の関係を図面の階層、要素の階層、線分の階層など、複数の階層で管理できるために、梁や柱、壁、階段、天井など、構造要素単位での移動や消去あるいは追加が可能である。
【発明を実施するための最良の形態】
【００１４】
以下、本発明の実施の形態について、添付図を用いて説明する。なお、本発明は、これら実施形態に何ら限定されるべきものではなく、その要旨を逸脱しない範囲において、種々なる態様で実施し得る。
【００１５】
実施形態１は主に請求項１などに関する。
【００１６】
実施形態２は主に請求項２などに関する。
【００１７】
実施形態３は主に請求項３などに関する。
【００１８】
実施形態４は主に請求項４などに関する。
【００１９】
実施形態５は主に請求項５などに関する。
【００２０】
実施形態６は主に請求項６などに関する。
【００２１】
実施形態７は主に請求項７などに関する。
【００２２】
実施形態８は主に請求項８などに関する。
【００２３】
実施形態９は主に請求項９などに関する。
【００２４】
実施形態１０は主に請求項１０などに関する。
【００２５】
実施形態１１は主に請求項１１などに関する。
【００２６】
≪実施形態１≫
【００２７】
<実施形態１の構成>
図１を用いて実施形態１を説明する。
【００２８】
実施形態１は、構造物の構築図面のための情報を蓄えるデータベースであって、線分識別情報と、線分属性情報とを関連付けて蓄積する蓄積部０１０２を有するデータベース０１０１である。
【００２９】
<実施形態１の構成の説明>
【００３０】
「構造物の構築図面」とは、構造物を作るための図面をいう。たとえば、構造物の設計図、施工図などが該当する。構造物とは、建築物、飛行機、船、自動車、トンネル、橋、高速道路、電気製品、工業製品、医療用器具、日用品などあらゆる物が含まれる。また、さらに広く都市にある建築物すべての図面も含まれる。また、設計図面を広義に解釈して、線分に対応するものを例えば、スペースシャトル表面に張られた耐火物の一枚と考えることによって、さらに本発明の利用範囲を拡大することができる。すなわち、要素の属性情報を要素識別情報と関連付けることによって体系づけられるすべての要素が本データベースの扱う対象になり得る。
【００３１】
「蓄積部」は、線分識別情報と、線分属性情報を関連づけて蓄積する。
【００３２】
「線分識別情報」は、前記構築図面を構成する線分を識別するための情報である。
【００３３】
「線分属性情報」は、前記線分識別情報で識別される線分の有する属性を示す情報である。
【００３４】
従来のＣＡＤにおける線分とは、コンピュータ内部のデータとしては、その開始点座標と終点座標として蓄積されているだけであり、線分という実体があるのではない。したがって、線分にさまざまな情報を付与することは、コンピュータの機能上困難なことではない。しかし、こうしたコンピュータの利点があるにもかかわらず、従来のＣＡＤ図面が図面単位で管理されており、線分も主としてこの開始点座標と、終点座標でのみ管理されていたに過ぎない。
【００３５】
本実施形態では、線分に対してその属性情報を自由に付与することによって、さまざまな線分の管理を可能とするものである。例えば、増築部分のある建築物の場合に、増築部分と既設部分との線分を分割して管理したい場合には、線分識別情報中に、既設あるいは増設部のいずれに属する線分であるかという属性情報を付与するだけで、複数の線分を分割して管理することが可能になる。
【００３６】
≪実施形態２≫
【００３７】
<実施形態２の構成>
図２を用いて実施形態２を説明する。
【００３８】
実施形態２は、実施形態１を基本として、特徴点は、前記蓄積部０２０２は領域種情報保持手段０２０３を有する点である。
【００３９】
<実施形態２の構成の説明>
【００４０】
実施形態２の蓄積部に関しては、実施形態１と基本的な機能は共通であるので、詳細な説明は省略する。
【００４１】
実施形態２の蓄積部は、領域種情報保持手段を有する。
【００４２】
「領域種情報保持手段」は、領域種情報を保持するための手段をいう。
【００４３】
「領域種情報」は、前記線分属性情報として、前記構築図面中で前記線分により表される物体が前記構造物中に存在する領域の種類を示す情報をいう。
【００４４】
「領域種」とは、領域にかかわるものであれば、自由に定義できるものである。たとえば、東京と名古屋を結ぶ高速道路は、県を越えて建設されるものであるために、例えば、「東日本」という領域種に存在するということができる。また、山手線は東京都内にのみ存在するために、「東京都」という領域種に存在する。すなわち、領域種情報とは例えば、このような領域にかかわる属性をあらわす情報である。
【００４５】
また、この領域種情報は、線分属性情報のひとつであり、例えば、図面内にて前記東京と名古屋を結ぶ高速道路をあらわす線分は、「東日本」という領域種情報を線分属性情報として有し、前記高速道路を表す線分の線分識別情報と関連づけて蓄積部によって、コンピュータに蓄積される。
【００４６】
≪実施形態３≫
【００４７】
<実施形態３の構成>
図３を用いて実施形態３を説明する。
【００４８】
実施形態３は、実施形態２を基本として、特徴点は、領域種情報０３０２が、完全断面０３０３、部分断面０３０４、単純平面０３０５のいずれかもしくはこれらの組み合わせである点である。
【００４９】
<実施形態３の構成の説明>
【００５０】
実施形態３の領域種情報は、完全断面、部分断面、単純平面の何れか一をいう。
【００５１】
「完全断面」は、前記物体が、前記構造物の全断面領域にわたって存在することをいう。例えば、建築図面を例にとれば、複数の図面に共通する通り芯、主要躯体のうち柱などを表現する線分に付与される。
【００５２】
「部分断面」は、前記物体が、前記構造物の部分的断面領域にわたって存在することをいう。例えば、平面図を描く際に、構造物を部分的断面領域が異なると、図面の表示が異なってくる線分に付与される。一例をあげれば、階段部のような場合においては、部分的断面領域が異なると、異なる階段断面が表れるので、階段は部分的断面領域に存在するということができる。つまり、階段を表す線分に付与される領域種情報は、部分断面である。
【００５３】
「単純平面」は、前記物体が、前記構造物の平面的領域にわたって存在することをいう。例えば、ひとつの平面図にしか現れず、断面図として表示されることがない線分に付与される。一例をあげれば、家具などを表示する線分であり、あるいは、天井や床の目地を表示する線分に付与される。
【００５４】
実施形態３の領域種情報によって、線分が、すべての図面に表れる線であるか、複数の部分の図面のみに表れる線であるか、あるいは、ひとつの図面にしか表れない線分であるかが、分類される。
【００５５】
<実施形態３の処理の流れ>
図１２を用いて実施形態３の処理の流れを説明する。
【００５６】
「領域種情報を保持するステップ」１２０１では、製図のために入力する線分が、完全断面か、部分断面か、単純平面か、のいずれの属性情報に属するかを判断し、この属性情報を前記線分の線分属性情報として、前記線分の線分識別情報と関連づけて保持する。
【００５７】
≪実施形態４≫
【００５８】
<実施形態４の構成>
図４を用いて実施形態４を説明する。
【００５９】
実施形態４は、主に実施形態１から３のいずれか一を基本として、特徴点は、前記蓄積部０４０２が視線情報保持手段０４０４を有する点である。
【００６０】
<実施形態４の構成の説明>
【００６１】
実施形態４の蓄積部に関しては、実施形態１から３のいずれか一と基本的機能は共通であるので詳細な説明は省略する。
【００６２】
「視線情報保持手段」は、視線情報を保持するための手段をいう。
【００６３】
「視線情報」は、前記線分属性情報として、前記構築図面中で前記線分により構成される物体の部分が前記構造物中で人間の視線にさらされるか否かを示す情報をいう。
【００６４】
平面図や立面図あるいは断面図において、製図の場合にはいずれの場合も、基本的に人の視線が前提となっている。したがって、人間の視線にさらされるか否か、つまり、人間の視線にどのように見えるか、を線分の属性情報として付与することは製図上必須である。例えば、図面上に本来見えない線が描かれると、図面上の混乱が生じる。こうした混乱を生じさせないために、視線情報に対する配慮が必要である。
【００６５】
≪実施形態５≫
【００６６】
<実施形態５の構成>
図５を用いて実施形態５を説明する。
【００６７】
実施形態５は、実施形態４を基本として、特徴点は、実施形態４の視線情報０５０３が、前記物体の部分が、構造部位０５０４であって人間の視線にさらされないか、意匠部位０５０５であって人間の視線にさらされるか、意匠構造部位０５０６であって構造部位でありながら人間の視線にさらされるか、を示す点である。
【００６８】
<実施形態５の構成の説明>
【００６９】
実施形態５の視線情報保持手段に関しては、実施形態４と基本的機能は共通であるので、詳細な説明は省略する。
【００７０】
実施形態５の「視線情報」は、前記物体の部分が、構造部位であって人間の視線にさらされないか、意匠部位であって人間の視線にさらされるか、意匠構造部位であって構造部位でありながら人間の視線にさらされるか、をいう。
【００７１】
構造部位は、一般的に意匠部位に覆われて隠されて人間の目にさらされない。また、意匠部位は、化粧とも呼ばれるように、構造部位や構造である下地などを視線より隠蔽する。しかし、構造体が全面に出てくる場合もある。たとえば、建築物における打ち放しコンクリート構造の場合である。このような場合には、視線にさらされる構造体という意味で意匠構造部位という属性情報を作ることによって、こうした構造体が視線にさらされる場合も網羅する。図面として考えた場合には、たとえば、構造レイアウト図には、線分属性情報に基づいて構造部位と意匠構造部位の属性を有する線分が選択され図面に出力される。また、意匠レイアウト図には意匠部位と意匠構造部位の属性を有する線分が選択され、図面に出力される。このような分類をすることによって、図面の出力に応じた線分の分類が可能になるなどの効果を奏する。
【００７２】
<実施形態５の処理の流れ>
図１３を用いて実施形態５の処理の流れを説明する。
【００７３】
実施形態５の領域種情報を保持するステップについては、実施形態３と基本的処理の流れは共通であるので、詳細な説明は省略する。
【００７４】
「視線情報を保持するステップ」１３０２は、線分が視線情報すなわち、人間の視線にさらされるか否かにもとづいて、構造部位、意匠部位、意匠構造部位のいずれか一に分類される。この分類は、線分属性情報であり、この線分属性情報が前記線分を識別する線分識別情報と関連づけられて視線情報がコンピュータに保持される。
【００７５】
≪実施形態６≫
【００７６】
<実施形態６の構成>
図６を用いて、実施形態６を説明する。
【００７７】
実施形態６は、実施形態１から５の何れか一を基本として、特徴点は、前記蓄積部０６０２が図面識別情報保持手段０６０５を有する点である。
【００７８】
<実施形態６の構成の説明>
【００７９】
実施形態６の蓄積部は、実施形態１から５の何れか一と基本的機能は共通であるので、詳細な説明は省略する。
【００８０】
「図面識別情報保持手段」は、図面識別情報を保持するための手段をいう。
【００８１】
「図面識別情報」とは、前記線分が表されるべき図面を識別するための情報をいう。図面を識別するとは、線分が本来描かれるべき図面がいかなる図面であるかを識別する、ということである。たとえば、一階の柱を表す線分は、一階平面図に現れるべきものであり、その平面図に表れるべきことを示す情報が図面識別情報である。一階の柱を表す線分には、一階平面図の図面識別情報が線分属性情報として保持され、これが前記一階の柱を表す線分の線分識別情報と関連付けられて蓄積されるということである。
【００８２】
本実施形態によって、個々の線分と図面が関連づけられることとなる。なお、この個々の線分は、複数の図面に表れてもよく、その場合には、ひとつの線分情報が複数の図面の識別情報を有することになる。
【００８３】
≪実施形態７≫
【００８４】
<実施形態７の構成>
図７を用いて実施形態７を説明する。
【００８５】
実施形態７は、実施形態６を基本として、特徴点は、前記図面識別情報は、前記図面が設計図０７０５か、施工図０７０６か、意匠レイアウト図０７０８か、構造レイアウト図０７０７か、を示し、さらに平面図においては見上げの図面０７０４か、見下げの図面０７０９かを示す点である。
【００８６】
<実施形態７の構成の説明>
【００８７】
実施形態７の図面識別情報付与手段は、実施形態６と基本的機能は共通であるので、詳細な説明は省略する。
【００８８】
実施形態７の「図面識別情報」は、前記図面が設計図か、施工図か、意匠レイアウト図か、構造レイアウト図か、を言い、さらに平面図においては見上げの図面か、見下げの図面かをいう。設計図には、さらに、平面図、立面図、断面図、基礎伏図、などがあげられる。また、詳細図、矩形図もある。また、施工図には、電気配線施工図面、設備施工図面、空調配管図、水道配管図などがある。また、これらのうち、平面図における見上げおよび見下げというのは、人間の視線からみて、上を見上げる図面が見上げの平面図であり、下を見下げる図面が見下げの平面図である。
【００８９】
また、複数階からなる建築物であれば、平面図は、例えば、一階の見下げの平面図、一階の見上げの平面図から始まって、最上階の見下げの平面図、最上階の見上げの平面図が必要な図面としてあげられる。したがって、前記分類は、大分類にすぎない。さらに、前記以外の図面として、近傍の敷地図面および敷地を含む地域の図面が含まれる。
【００９０】
本実施形態においては、一本の線分が以上に述べたどの図面に表れるかを指し示す図面識別情報が図面識別情報保持手段により線分属性情報に割り当てられて、かつこの線分属性情報は、線分識別情報と関連づけられてコンピュータに保持される。
【００９１】
<実施形態７の処理の流れ>
図１４を用いて実施形態７の処理の流れを説明する。
【００９２】
実施形態７の領域種情報を保持するステップ１４０１と、視線情報を保持するステップ１４０２と、に関しては実施形態５と基本的処理の流れは共通であるので詳細な説明は省略する。
【００９３】
図面識別情報を保持するステップ１４０３は、線分が前記図面のいずれの図面に属するかを示す図面識別情報が保持される。この図面識別情報は前記線分属性情報であり、前記
線分識別情報と関連付けられてコンピュータに保持される。
【００９４】
≪実施形態８≫
【００９５】
<実施形態８の構成>
図８を用いて実施形態８を説明する。実施形態８は、異なる図面中において表される線分の同一性を示すための情報である関連付情報が線分属性情報に含まれていることに特徴を有する実施形態である。
【００９６】
実施形態８は、実施形態１から７の何れか一を基本とし、特徴点は、前記蓄積部０８０２は、関連付情報保持手段０８０６を有する点である。
【００９７】
<実施形態８の構成の説明>
【００９８】
実施形態８の蓄積部は、実施形態１から７の何れか一と基本的機能は共通であるため詳細な説明は省略する。
【００９９】
実施形態８の図面識別情報保持手段に保持される前記線分属性情報は、関連付情報保持手段を有する。
【０１００】
「関連付情報保持手段」は、関連付情報を保持するための手段をいう。
【０１０１】
「関連付情報」は、一の線分と他の線分との関連付けを示す情報をいう。前述のとおり、前記関連付情報は、異なる図面中においてあらわされる線分の同一性を示すためのものであり、例えば、平面図と、立面図に表される柱の外形線が同じ柱の同じ部分の線であることを示すために用いられる。
【０１０２】
関連付情報は、また、たとえば、設計図を下絵にして新たに施工図を作る場合に、この両者の間での関連付けをするために用いることができる。こうすることによって、異なる図面間における線分と線分の関連づけができるために、設計図を変更した場合には、施工図にもその変更が反映される。
【０１０３】
<実施形態８の処理の流れ>
図１５を用いて実施形態８の処理の流れを説明する。
【０１０４】
以下では実施形態８に特徴的な関連づけ情報を保持するステップ１５０４の処理の流れについて説明する。
【０１０５】
「関連付情報を保持するステップ」は、一の線分と他の線分との関連付を示す情報を保持するステップであり、設計図から線分を抽出して施工図の基礎となる図面を作成する際に、この関連付情報を元に抽出するステップである。
【０１０６】
≪実施形態９≫
【０１０７】
<実施形態９の構成>
図９を用いて実施形態９を説明する。実施形態９は、図面の中におけるひとかたまりとして扱われる線分の関係を示す情報が線分属性情報に含まれていることを特徴としており、ひとかたまりとして扱われる線分とは、部材や、部品、扉、窓、空調機、などの構造物の一部の物体を構成する線分である。
【０１０８】
実施形態９は、実施形態１から８のいずれか一を基本として、特徴点は前記蓄積部０９０２は、グルーピング情報保持手段０９０７を有する点である。
【０１０９】
<実施形態９の構成の説明>
【０１１０】
実施形態９の蓄積部は、実施形態１から８のいずれか一と基本的機能は共通であるので、詳細な説明は省略する。
【０１１１】
「グルーピング情報保持手段」は、グルーピング情報を保持する。
【０１１２】
「グルーピング情報」は、前記関連付情報として、図面中で一群のかたまりとして取り扱われる線分の関係を示す情報である。図面中で一群のかたまりとして取り扱われる線分とは、たとえば、鉄骨建築ならば、梁を構成する線分の全体が該当する。梁は、実際にひとつの塊として取り扱われるので、この梁を構成する線分を一群のものとして図面中においても取り扱うと便利である。また梁以外にも、柱、床、間仕切り壁、天井、扉、窓、カーテンウォール、その他、部材、部品、設備、などと称されるもの、さらに、空調配管、水道配管、などもそれぞれを梁と同様に図面中で一群のかたまりとして取り扱うと便利である。またこれらに限らず、これらの組み合わせを一体として取り扱うことも便利な場合がある。さらに、本来一体として観念されるものを複数の部分に分割し、その複数の部分をそれぞれ一群のかたまりとして取り扱うことも考えられる。コンクリート建築物では、一般に構造体は一体化されているので、梁、柱、壁、窓、天井、床などの構造体は、たとえば、構造計算において仮定する際の部材の単位を採用するという方法に利用される。
【０１１３】
図面中で常に一群のかたまりとして取り扱われる線分の関係を示す情報とは、例えば、構造物を構成する部材や意匠要素、設備などひとつの物体として認識することができるものである。
【０１１４】
このグルーピング情報保持手段によって、図面の階層と、線分の階層の中間の階層に部材、部品あるいは要素の階層ともいうべき階層構造を作りだすことができ、線分だけでなく、中間層での管理が可能になる。
【０１１５】
<実施形態９の処理の流れ>
図１６を用いて実施形態９の処理の流れを説明する。
【０１１６】
実施形態９の処理の流れのうち、本実施形態に特徴的なグルーピング情報を保持するステップ１６０５についてのみ説明する。
【０１１７】
グルーピング情報を保持するステップは、図面中において、同一の物体の一部の線分であるかどうか、あるいは互いに一群のかたりまりの線分として扱うべきかどうかによって、グルーピング情報を付与する。同一の物体の一部の線分であり、また、ひとかたまりの線分として扱うべき場合には、グルーピング情報を付与し保持するステップである。
【０１１８】
≪実施形態１０≫
【０１１９】
<実施形態１０の構成>
図１０を用いて実施形態１０を説明する。
【０１２０】
実施形態１０は、実施形態１から９のいずれか一を基本として、特徴点は、前記蓄積部１００２は、構造的機能情報保持手段１００８を有する点である。
【０１２１】
<実施形態１０の構成の説明>
【０１２２】
実施形態１０の蓄積部は、実施形態１から９のいずれか一と基本的機能は共通であるために詳細な説明は省略する。
【０１２３】
実施形態１０に特徴的な構造的機能情報保持手段について説明する。
【０１２４】
「構造的機能情報保持手段」は、構造的機能情報を保持するための手段をいう。
【０１２５】
「構造的機能情報」とは、前記グルーピング情報において、一群のかたまりとして取り扱われる線分によって構成される物体が前記構造物中で果たす構造的機能を示す情報をいう。
【０１２６】
構造的機能情報とは、構造要素、意匠要素、意匠構造要素の三つに分類される。構造要素とは、梁、柱、壁などをあらわし、意匠要素は、扉、カーテンウォール、壁の仕上げ部材などをあらわし、意匠構造要素は、打ち放しコンクリートなどのように意匠と構造が兼用のものである。実施形態５と異なるのは、実施形態５においては、人間の視線に対して構造部位その他が定義されていたのに対して、本実施形態においては、ひとかたまりとして取り扱われる線分によって構成される物体が、構造要素、意匠要素、意匠構造要素のいずれに分類されるかが定義される点である。
【０１２７】
<実施形態１０の処理の流れ>
図１７を用いて実施形態１０の処理の流れを説明する。
【０１２８】
実施形態１０に特徴的な構造的機能情報を保持するステップ１７０６について説明する。
【０１２９】
構造的機能情報を保持するステップは、グルーピング情報にて、一群のかたまりとして取り扱われる線分によって構成される物体を、構造要素であるか、意匠要素であるか、意匠構造要素であるかに分類する。この分類は、前記線分属性情報であり、この線分属性情報が線分識別情報と関連付けられコンピュータに保持される。
【０１３０】
≪実施形態１１≫
【０１３１】
<実施形態１１の構成>
図１１を用いて実施形態１１を説明する。
【０１３２】
実施形態１１は、実施形態１から１０を基本として、特徴点は移動依存変更部１１０９を有する点である。
【０１３３】
<実施形態１１の構成の説明>
【０１３４】
実施形態１１に特徴的な移動依存変更部について説明する。
【０１３５】
「移動依存変更部」は、前記線分属性情報を、前記図面中で線分を移動することにより変更する機能を有する。
【０１３６】
移動依存変更とは、言い換えれば、図面中で線分を移動することによって、線分属性情報を自動的に変更する、ということである。たとえば、グルーピング情報によって一群のかたまりとして取り扱われる線分によって構成される物体を移動する場合に、その物体を構成する線分の位置情報である座標情報がすべて自動的に変更されるということである。具体例をあげれば、見下げの平面図上において最上階の柱位置を１ｃｍだけ北に移動する場合、柱を構成する線分がそれぞれ1ｃｍ自動的に座標情報を変更される、というものである。
【０１３７】
本実施形態によって、部材や部品単位での移動の際の修正が容易になるという効果を奏する。
【０１３８】
尚、本発明のデータベースは、上に記した実施の形態に限定されるものではなく、本発明の要旨を逸脱しない範囲内において種々変更を加え得ることは勿論である。
【図面の簡単な説明】
【０１３９】
【図１】実施形態１の機能ブロック図
【図２】実施形態２の機能ブロック図
【図３】実施形態３のデータ構造を表す図
【図４】実施形態４の機能ブロック図
【図５】実施形態５のデータ構造を表す図
【図６】実施形態６の機能ブロック図
【図７】実施形態７のデータ構造を表す図
【図８】実施形態８の機能ブロック図
【図９】実施形態９の機能ブロック図
【図１０】実施形態１０の機能ブロック図
【図１１】実施形態１１の機能ブロック図
【図１２】実施形態３の処理の流れを表すフローチャート
【図１３】実施形態５の処理の流れを表すフローチャート
【図１４】実施形態７の処理の流れを表すフローチャート
【図１５】実施形態８の処理の流れを表すフローチャート
【図１６】実施形態９の処理の流れを表すフローチャート
【図１７】実施形態１０の処理の流れを表すフローチャート
【符号の説明】
【０１４０】
０１０１  データベース
０１０２  蓄積部
０２０３  領域種情報保持手段
０４０４  視線情報保持手段
０６０５  図面識別情報保持手段
０８０６  関連付情報保持手段
０９０７  グルーピング情報保持手段
１００８  構造的機能情報保持手段
１１０９  移動依存変更部
【図１】
2005108136.tif 000003
【図２】
2005108136.tif 000004
【図３】
2005108136.tif 000005
【図４】
2005108136.tif 000006
【図５】
2005108136.tif 000007
【図６】
2005108136.tif 000008
【図７】
2005108136.tif 000009
【図８】
2005108136.tif 000010
【図９】
2005108136.tif 000011
【図１０】
2005108136.tif 000012
【図１１】
2005108136.tif 000013
【図１２】
2005108136.tif 000014
【図１３】
2005108136.tif 000015
【図１４】
2005108136.tif 000016
【図１５】
2005108136.tif 000017
【図１６】
2005108136.tif 000018
【図１７】
2005108136.tif 000019